【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
画像形成装置であって、
画像形成に用いられる回転体であって、画像形成の為の基準位置を示すマークが形成された回転体を含む画像形成手段と、
回転する前記回転体の前記マークを検出して基準信号を出力する検出手段と、
前記画像形成手段に画像形成を行わせるために前記画像形成手段の準備動作を開始させ、前記基準信号が出力された後に前記準備動作が完了すると前記画像形成手段に画像形成を行わせる制御手段と、
前記基準信号が出力された後に、画像形成が可能になるまでの時間を計時する計時手段と、を備え、
前記制御手段は、次の前記基準信号が出力されると、前記計時手段により計時された時間に基づく待機の後に、前記画像形成手段に次色の画像形成を行わせることを特徴とする画像形成装置。
【請求項２】
前記画像形成手段は、光照射手段と、前記光照射手段により照射された光によって静電潜像が形成される単一の像担持体と、夫々が異なる色の現像剤を保持し、前記静電潜像に現像剤を付着させる複数の現像手段と、各現像手段によって前記単一の像担持体上に現像された現像剤像が転写され且つ基準位置を示すマークが形成された前記回転体としての中間転写体とを含み、
前記制御手段は、画像形成が可能になったことに応じて、前記光照射手段に、画像データに従う光照射を行わせ
更に前記制御手段は、次の前記基準信号が出力されると、前記計時手段により計時された時間に基づく待機の後に、次の現像色の画像データに従う光照射を前記光照射手段に行わせることを特徴とする請求項１に記載の画像形成装置。
【請求項３】
前記光照射手段は光ビームを射出し、
主走査同期信号に同期して、前記光照射手段により射出される画像データに基づく光ビームを偏向走査する回転多面鏡と、
画像形成に係わる準備動作を実行する初期動作手段と、
前記初期動作手段による所定の準備動作を完了した後に、１つ目の現像色における前記基準信号に対する前記主走査同期信号の位相を、前記回転多面鏡の回転位相を制御することで補正する補正手段と、をさらに備え、
前記制御手段は、次の現像色の前記基準信号が出力されると、前記計時手段により前記画像形成が可能になるまでの時間として計時された主走査同期信号の位相補正が終了するまでの時間に基づく待機をすることを特徴とする請求項２に記載の画像形成装置。
【請求項４】
前記回転多面鏡により走査される前記光ビームを検出することに応じて、前記光ビームの射出を開始するための同期信号を出力する同期信号出力手段をさらに備え、
前記補正手段は、
前記基準信号が出力されたタイミングを基準に、かつ、予め定められた周期で前記同期信号を補正するための補正信号を出力し、
前記同期信号と前記補正信号との出力タイミングが一致するように前記回転位相を制御することを特徴とする請求項３に記載の画像形成装置。
【請求項５】
前記補正手段は、前記補正信号を出力する複数の出力部を含み、複数の現像色間で前記出力部が共用されていることを特徴とする請求項４に記載の画像形成装置。
【請求項６】
前記回転多面鏡により走査される前記光ビームを検出することに応じて、前記光ビームの射出を開始するための同期信号を出力する同期信号出力手段をさらに備え、
前記計時手段は、前記基準信号が出力されてから前記準備動作が完了するまでの時間を計時し、
前記補正手段は、
前記計時された前記基準信号が出力されてから前記準備動作が完了するまでの時間が経過したタイミングを基準に、且つ、予め定められた周期で前記同期信号を補正するための補正信号を出力し、
前記同期信号と前記補正信号との出力タイミングが一致するように前記回転位相を制御することを特徴とする請求項３に記載の画像形成装置。
【請求項７】
各現像色の形成位置のずれを検出するための色ずれ検出パターンを形成するパターン形成手段と、
前記中間転写体に形成された前記色ずれ検出パターンを検出するパターン検出手段と、をさらに備え、
前記補正手段は、
測定色の現像色に対する前記補正信号の出力において、現像色ごとに対応する前記基準信号が出力されてから、前記計時手段によって計時された時間と、当該現像色に対応する前記パターン検出手段の検出結果から得られる基準に対する色ずれ量と、に基づき、該現像色に対応する補正信号を出力することを特徴とする請求項６に記載の画像形成装置。
【請求項８】
各現像色の形成位置のずれを検出するための色ずれ検出パターンを形成するパターン形成手段と、
前記中間転写体に形成された基準色の色ずれ検出パターンに対する測定色の色ずれ検出パターンの色ずれ量を検出する色ずれ検出手段と、をさらに備え、
前記制御手段は、測定色に対応する前記基準信号が出力された場合に、前記計時手段により計時された時間と、前記検出された色ずれ量と、に基づき、前記測定色の画像データに従う光照射を前記光照射手段に行わせることを特徴とする請求項２に記載の画像形成装置。
【請求項９】
前記光照射手段は、前記単一の像担持体の回転軸方向に沿って複数の発光素子が配置された発光アレイであることを特徴とする請求項２乃至８の何れか１項に記載の画像形成装置。
【請求項１０】
前記複数の現像手段のぞれぞれは、前記像担持体に沿って配置されることを特徴とする請求項２乃至９の何れか１項に記載の画像形成装置。
【請求項１１】
前記制御手段は、現在最終色の画像形成を行っているページの次ページの最初の色の画像形成について、前記最終色のページの画像形成を開始してから前記回転体が１回転する前に、前記次ページの最初の色の画像形成を前記画像形成手段に行わせるとともに、前記計時された時間を補正することを特徴とする請求項１乃至１０の何れか１項に記載の画像形成装置。
【請求項１２】
前記準備動作とは、前記画像形成装置の起動処理であることを特徴とする請求項１に記載の画像形成装置。
【請求項１３】
画像形成装置であって、
画像形成に用いられる回転体であって、画像形成の為の基準位置を示すマークが形成された回転体を含む画像形成手段と、
回転する前記回転体の前記マークを検出して基準信号を出力する検出手段と、
前記画像形成手段の準備動作を開始させた後、前記準備動作が完了したことによる完了信号の出力に応じて、１色目の画像の形成を開始させる制御手段と、
前記完了信号が出力された際に、前記完了信号が出力されるまでの間で最も後に前記検出手段から出力された第１の基準信号が出力されてから前記完了信号が出力されるまでの期間を測定する測定手段と、を備え、
前記制御手段は、前記測定手段により測定された期間を待機期間とし、１色目以降の色の画像の形成を行わせるために、前記第１の基準信号以降の第２の基準信号が出力されたタイミングから前記待機期間が経過した後、前記画像形成手段に前記１色目以降の色の画像の形成を行わせることを特徴とする画像形成装置。
【請求項１４】
前記待機期間は、前記第２の基準信号が出力されてから、前記準備動作が完了するまでの期間と等しい長さの期間が経過するまで画像形成を開始させない期間であることを特徴とする請求項１３に記載の画像形成装置。
【請求項１５】
前記待機期間は、スキャナの位相補正を行わない期間であることを特徴とする請求項１３又は１４に記載の画像形成装置。
【請求項１６】
前記準備動作は少なくとも、回転式現像器保持ユニットの各現像器を所定の位置に移動させるための初期回転制御、ポリゴンミラーの起動制御、前記像担持体の起動制御、中間転写体の起動制御、定着器の温度調整制御、前記像担持体への電圧印加制御、及び中間転写体への転写電圧制御、のいずれかを含む処理であることを特徴とする請求項１３乃至１５のいずれか１項に記載の画像形成装置。
【請求項１７】
画像形成装置であって、
画像形成に用いられる回転体であって、画像形成の為の基準位置を示すマークが形成された回転体を含む画像形成手段と、
回転する前記回転体の前記マークを検出して基準信号を出力する検出手段と、
前記画像形成手段により１色目の画像の形成を行わせるために、前記画像形成手段の準備動作を開始させ、前記準備動作を行っている最中に前記マークが検出されることによる第１の基準信号が出力されてから前記準備動作が完了するまでの期間、且つ前記準備動作が完了した後に光照射手段の補正処理を完了するまでの期間が経過した後、前記画像形成手段に１色目の画像の形成を行わせる制御手段と、
前記第１の基準信号が出力されてから前記準備動作が完了するまでの期間を測定する測定手段と、を備え、
前記制御手段は１色目以降の色の画像の形成を行わせるために、前記第１の基準信号以降の第２の基準信号が出力された後、前記準備動作が完了するまでの期間に応じた待機期間が経過するまでの間は前記光照射手段の補正処理を行わせず、且つ前記待機期間が経過した後に前記光照射手段の補正処理を行わせて、前記１色目以降の色の画像を形成させることを特徴とする画像形成装置。
【手続補正２】
【補正対象書類名】明細書
【補正対象項目名】０００８
【補正方法】変更
【補正の内容】
【０００８】
本発明は、例えば、画像形成装置として実現できる。画像形成装置は、画像形成に用いられる回転体であって、画像形成の為の基準位置を示すマークが形成された回転体を含む画像形成手段と、回転する回転体のマークを検出して基準信号を出力する検出手段と、画像形成手段に画像形成を行わせるために画像形成手段の準備動作を開始させ、基準信号が出力された後に準備動作が完了すると画像形成手段に画像形成を行わせる制御手段と、更に、基準信号が出力された後に、画像形成が可能になるまでの時間を計時する計時手段と、を備え、制御手段は、次の基準信号が出力されると、計時手段により計時された時間に基づく待機の後に、画像形成手段に次色の画像形成を行わせることを特徴とする。